(57)【要約】【課題】りん本体部にりん棒を収納又は保持できデザイン的にも優れ、りん本体部を複数連結した複合りんであっても、りん棒の収納性に優れたりん具の提供を目的とする。【解決手段】りん本体部と、当該りん本体部を打鈴するためのりん棒を備え、前記りん本体部は、りん棒をりん本体部の周縁部に立て掛けることなく当該りん棒を概ね立設状態に収納又は保持できる収納機構を有することを特徴とする。【選択図】  図１
2011177492.tif 000002
【特許請求の範囲】
【請求項１】
りん本体部と、当該りん本体部を打鈴するためのりん棒を備え、
前記りん本体部は、りん棒をりん本体部の周縁部に立て掛けることなく当該りん棒を概ね立設状態に収納又は保持できる収納機構を有することを特徴とするりん具。
【請求項２】
前記りん棒の収納機構は平面視でりん本体部の中央部に設けた中空部にりん棒を収納又は保持するものであることを特徴とする請求項１記載のりん具。
【請求項３】
前記りん棒の収納機構は、りん棒に、りん本体部の開口部内径よりも外径の大きい保持部を設けたことを特徴とする請求項１記載のりん具。
【請求項４】
第１りん本体部と第２りん本体部とを連結した複合りんを形成し、
当該第１りん本体部と第２りん本体部とは、そのどちらも下部側に配置及び立設できる反転可能構造であり、第１又は第２りん本体部のうち、少なくともいずれか一方に、りん棒の収納機構を有することを特徴とする請求項１〜３のいずれかに記載のりん具。
【発明の詳細な説明】
【技術分野】
【０００１】
本発明は、りん本体部とこのりん本体部を打鈴するりん棒からなるりん具に関し、特にりん本体部の構造及びりん棒の保持方法に特徴がある。
【背景技術】
【０００２】
従来は図２７に示すような略椀状のりん本体部１００の形状が一般的であり、りん棒１２０も断面が丸い棒状のものが一般的である。
このような棒状のりん棒１２０は、転がりやすく置き場に困っていた。
図２７に示すようにりん棒をりん本体部の内側に立て掛けるように入れておくのは、なんとも不格好で礼節を重んじる祭壇などに置かれることが多いりん具に対しては好ましいものではない。
また、りん棒がりん本体の周縁部に沿って転がるので不安定である問題もあった。
【０００３】
特許文献１，２には、りん台にりん棒を備えるための装置を開示するが構造が複雑である。
【０００４】
また、特許文献３には２つのりん本体部を上下に連結したものを開示するが上下に反転できるものではなく、りん棒を収納保持できるものでもない。
【先行技術文献】
【特許文献】
【０００５】
【特許文献１】実開平７−７５７８号公報
【特許文献２】特開平７−２５０７５３号公報
【特許文献３】特開２００３−３１９８６９号公報
【発明の概要】
【発明が解決しようとする課題】
【０００６】
本発明は、りん本体部にりん棒を収納又は保持でき、デザイン的にも優れ、りん本体部を複数連結した複合りんであっても、りん棒の収納性に優れたりん具の提供を目的とする。
【課題を解決するための手段】
【０００７】
本発明に係るりん具は、りん本体部と、当該りん本体部を打鈴するためのりん棒を備え、前記りん本体部は、りん棒をりん本体部の周縁部に立て掛けることなく当該りん棒を概ね立設状態に収納又は保持できる収納機構を有することを特徴とする。
ここで、前記りん棒の収納機構は平面視でりん本体部の中央部に設けた中空部にりん棒を収納又は保持するものであってよく、また、前記りん棒の収納機構は、りん棒に、りん本体部の開口部内径よりも外径の大きい保持部を設けたものでもよい。
【０００８】
本発明にあって、りん棒を概ね立設状態に収納又は保持できる収納機構を有するとは図２７に示した従来の、りん棒の先をお椀状りん本体部の底部に置き、りん棒の側部をりん本体部の開口部の内側周縁部に斜めに立て掛けた状態を除く趣旨であり、例えばりん棒をりん本体部の平面視中央部に設けた中空部にりん棒の先を挿入した場合に中空部の内径がりん棒の外径よりも大きく、多少斜めになることはあっても、従来のりん本体部の内側周縁部に立て掛けるものではない程度に立設していることを意味する。
ここで、りん本体部の平面視中央部に設けた中空部とは、りん本体部が上方に開口したお椀状であれば、その内側平面視中央部に筒状に立設、又は凹部状に設けた中空部をいい、底部に貫通孔を有する場合を含み、りん本体部が傘状、換言すればお椀を逆さにした形状であれば、その頂部にりん棒を収納又は保持する中空部を有することをいう。
【０００９】
また、本発明にあって、りん棒を概ね立設状態に収納又は保持できるとは、中空部等に挿入できる場合、中空部に嵌着、嵌合できる場合、中空部にその開口部を塞ぐように載置できる場合、上方に開口したりん本体部の開口周縁部を塞ぐように載置できる場合も含まれる。
【００１０】
また、本発明に係るりん棒の収納又は保持構造の展開例として、第１りん本体部と第２りん本体部とを連結した複合りんを形成し、当該第１りん本体部と第２りん本体部とは、そのどちらも下部側に配置及び立設できる反転可能構造であり、第１又は第２りん本体部のうち、少なくともいずれか一方に、りん棒の収納機構を有するようにすることもできる。
本発明にあって、りん本体部や複合りんの材質に特に限定はないが、銅合金、アルミ合金、スズ合金等の金属が好ましい。
また、りん棒も金属であってよいが、りん棒の材質としては重くて堅い木が特に好ましく、軽量木材やプラスチックでもよい。
また、りん棒は打鈴部と把持部とで、形状や材質が異なってもよく、打鈴部に不織布等を巻いてもよい。
上記打鈴部は、りん本体部に設けた中空部又は、開口部を塞ぐように載置するための保持部を兼ねても良い。
【発明の効果】
【００１１】
本発明に係るりん具にあっては、簡便にりん棒をりん本体部に収納でき便利である。
また、収納機構が中空部である場合に、その中空部の内径よりも小さい外径のりん棒であればよく、りん棒が概ね立設しているので、すぐに持ち上げて使用できる点でも便利である。
また、りん棒以外に線香やろうそくなどを収納してもよい。
【００１２】
りん本体部に設けた中空部の開口部又はりん本体部の開口部の内径よりも外径が大きい保持部を有するりん棒にすると、このりん棒の保持部でりん本体部の中空部又はりん本体部の開口部を塞ぐように載置するだけでりん棒をりん本体部に収納又は保持できる。
【００１３】
さらに、第１りん本体部と第２りん本体部とを上下反転可能に連結した複合りんである場合に、第１りん本体部を上に配置した場合と逆に第２りん本体部を上に配置した場合で音色の変化を楽しむことができ、第１又は第２りん本体部のうち、少なくともいずれか一方に、りん棒の収納機構を有するようにしたことから、りん棒の収納、保持も簡便である。
これにより、りん棒が祭壇等から転がり落ちることが無く、紛失する恐れも少なくなる。
【図面の簡単な説明】
【００１４】
【図１】上方が開口したお椀状のりん本体部の平面視で中央部に中空部を形成した例を示す。
【図２】りん本体部の底部に貫通孔を設け、りん本体部を台座の支柱部を差し込み組立てることでりん本体部の中央部に中空部を形成した例を示す。
【図３】りん本体部の底部に台座に嵌着するための中空突部を形成した例を示す。
【図４】りん本体部と台座の連結部に中空部を形成した例を示す。
【図５】りん本体部を上方に開口したラッパ状に形成し、底部側に中空部を形成した例を示す。
【図６】りん本体部の中央部に形成した収納機構の上部に手で把持するためのつまみ部を形成した例を示す。
【図７】りん本体部の底面が半円状に形成されりん本体部が左右に揺らぐ形状にした例を示す。
【図８】つまみ部を台座形状にした例を示す。
【図９】（ａ）〜（ｄ）はりん棒を中空部に収納又は載置する変形例を示す。
【図１０】（ａ）〜（ｅ）は中空部の底部形状の変形例を示す。
【図１１】りん棒にりん本体部の開口部内径よりも大きい保持部を形成し、りん本体部の上にりん棒を載置した例を示す。
【図１２】りん棒の保持部をつば状に形成した例を示す。
【図１３】りん棒の保持部をりん本体の周縁部にフックで引っ掛けるようにした例を示す。
【図１４】第１りん本体部と第２りん本体部を上下に連結した複合りんであって、上面及び下面に平坦部を形成し専用の台座を設けることなく上下いずれに反転してもりん具を安定載置でき、且つ、りん棒を収納、保持できるようにした例を示す。
【図１５】専用の台座に反転可能に載置した複合りんの例を示す。
【図１６】第１りん本体部と第２りん本体部とで大きさを異ならせた複合りんの例を示す。
【図１７】第１りん本体部と第２りん本体部との連結部に貫通した中空部を形成した例を示す。
【図１８】第１りん本体部と第２りん本体部とをりん本体部の開口部が対向するように連結した例を示す。
【図１９】第１りん本体部と第２りん本体部との一方にのみ台座部を連結した例を示す。
【図２０】第１りん本体部と第２りん本体部の両方に台座部を形成した例を示す。
【図２１】緩衝材により上下反転可能にした例を示す。
【図２２】半円状の第１及び第２りん本体部を対向連結し、緩衝材を用いて載置した例を示す。
【図２３】台座を用いることなく反転可能にした例を示す。
【図２４】第１りん本体部と第２りん本体部の形状を異ならせ台座を用いることなく反転可能にした例を示す。
【図２５】把持して反転するためのつまみ部を設けた例を示す。
【図２６】台座の支柱部に嵌着させることで反転可能にした例を示す。
【図２７】従来のりんの例を示す。
【発明を実施するための形態】
【００１５】
本発明に係るりん具の実施例について順次説明するが、本発明は以下の実施例に限定されるものではない。
図１は台座５の上に支柱部４を介して、上方が開口したお椀状のりん本体部１をその底部で連結し、りん本体部の平面視中央部にりん棒２０の収納機構２を設けたものである。
本実施例は収納機構として円筒状の有底の中空部３を立設した例である。
なお、図１は中心軸を回転中心にした回転体形状の中央断面図を示し、以下の図面も特にことわりが無い場合に同様である。
このようにすると、りん棒２０の先側を円筒状の中空部３に挿入するだけでりん本体部１に収納できる。
また、りん本体部１の中央部に円筒状中空部（ホルダー）を有することで、デザイン的にもバランスがよい。
なお、台座５は必ずしも円形である必要は無く、四角形等の矩形形状やデザイン的な異形形状でも良い。
以下、図１と共通する部分は同じ符号を用いることで説明を省略し、特徴ある部分のみ説明する。
図２は、りん本体部１の底部に貫通孔６を形成し、台座５の支柱部４側に円筒状の有底中空部３を形成し、収納機構２ａとした例である。
図３，図４はりん本体部１の底部に円筒凹部状の中空部３を形成し、収納機構２ｂ，２ｃとしたものである。
図５はラッパ状のりん本体部１に形成し、中空部３からなる収納機構２ｄとした例である。
図６は収納機構２ｅをりん本体部１の内側底部から支柱部４ａを介して中空部３に形成し、さらに上部に把持しやすいように、中空部３の上端から外側に折り曲げた、つまみ部３ａを形成した例である。
このように中空部３の下部に支柱部４ａを設けるとその部分を中空部３の外形より細くでき、りん本体部の振動に対する収納機構の影響が小さくなり、りん具の移動も容易になる。
つまみ部３ａをテーブル状の水平な平面にすると、この部分に花立て、香炉等の他の仏具を載置することもできる。
図７，図８はお椀状のりん本体部１の外側底面を曲面状にし、左右前後に揺らぐようにしたものにりん棒２０の収納保持部２ｅを形成したものである。
図８はつまみ部３ａとしてテーブル状の平面部を形成した例であり、りん棒を水平に置くこともできる。
図９（ａ）はりん棒２０に中空部３の開口部内径よりも外径の大きい保持部２１を形成した例である。
本実施例では、中空部３の上部にテーパー状の斜面部３ｂを形成し、りん棒２０を載置しやすくしたものである。
このようにすると、りん棒２０の球状の保持部２１の大きさに関係なく収納でき、りん棒が多少斜めになっても安定して収納できる。
図９（ｂ）〜（ｄ）はりん棒２０の保持部２１を中空部３に載置しやすくするために中空部の形状に工夫を加えた例である。
図９（ｂ）は中空部３の側壁を逆円錐台状３ｃにした例で図９（ｃ）はりん棒２０の保持部２１と嵌着する嵌合部３ｄを形成した例である。
このようにすると、りん棒２０が安定して垂直状に収納できる。
図９（ｄ）は段差状の中空部３，３ｅに形成した例である。
図１０（ａ）は中空部の開口部３ｅが単に円形孔にした例であるが、（ｂ）は円形状の凹部からなる中空部３の上端部に部分的に切欠き部３ｆを形成し、（ｃ）は２段形状の中空部３，３ｃの上部に斜面部３ｆを形成した例で、（ｄ）は中空部の底部を半球状３ｇにした例、（ｅ）は３角錐状３ｈにした例である。
図１１は、お椀状のりん本体部１の開口部２ｆをそのまま塞ぐ大きさの保持部２１をりん棒２０に形成し、保持部２１から把持棒２２を立設した例である。
本実施例では、保持部２１は略球形状になっていて、把持棒２２が斜めになっても安定載置できる。
保持部２１はりん本体部の開口部よりも大きいものであれば大小のサイズを許容することができ、全体としてデザイン性に優れる。
また、このようにするとりん本体部１の振動による余韻の長さを考慮して、途中でりん棒２０を載置するだけですぐに振動を抑えることができる。
また、余韻の制御も保持部２１の材質を変えることでバリエーションがでる。
図１２は保持部２１をつば形状にした例で、図１３はフック部２４にした例である。
【００１６】
次に、反転可能にしたりん具の実施例について説明する。
図１４は、お椀状の第１りん本体部１Ａと第２りん本体部１Ｂとを開口部が対向するように上下に連結部７にて連結し複合りんとした例であり、第１りん本体部１Ａも第２りん本体部１Ｂもともに、上面に平坦部１ａ，１ｂを形成することで、そのまま、上下どちらを上にしても反転可能であり、祭壇等に安定載置できる。
本実施例はりん棒２０の収納用中空部３，３を第１りん本体部１Ａと第２りん本体部１Ｂのいずれにも形成した例であるが、少なくともそのどちらか一方に中空部３を設けた場合も本発明に含まれる。
また、中空部３の上端部を図９（ａ）に示したテーパー状にし、りん棒２０を載置しやすくしてもよい。
本実施例では、上下の中空部３，３の間に貫通孔７ａを形成した例になっている。
これにより、中空部３にゴミ等が溜まりにくくなる。
図１５は棒状の支柱部４を有する台座５を利用して反転可能にするとともに、支柱部４の挿入部がりん棒２０の収納部としても利用できる例である。
この場合に上下の中空部３の深さが異なるようにすると、りん本体部を反転させると高さも異なり、音色にも変化が生じる。
図１６は上下のりん本体部１Ａ，１Ｂの大きさを異なるように形成した複合りんの例で、上下反転させることで異なる音色のりん具となる。
本実施例は、台座５の支柱部４に下側のりん本体部の中空部３を挿入することで、反転できるだけでなく、台座５を用いることなく、そのまま中空部３の開口部側を祭壇等に載置することで上下反転載置することもできる。
また、りん本体部１Ａ，１Ｂを組み合せた全体として統一のあるデザインにでき、本実施例はりん本体部１Ｂの高さ寸法をりん本体部１Ａの高さ寸法より小さく設定し、りん本体部１Ａを上側に配置した場合に、外観としては、りん本体部１Ｂが台座のように見える安定感のあるデザイン例になっている。
図１７は上下のりん本体部の開口部を相互に外側に向けた状態で底部同士を連結部７で連結した例で、連結部にりん棒２０の挿入孔（貫通孔）を形成し、ゴミ等が溜まらないようにした例である。
図１８，図１９は第１りん本体部と第２りん本体部にて全体としてラグビーボールのように形成した例で、図１９は一方に台座５を形成した例である。
図２０〜図２６はりん棒２０の収納部はないが、反転可能にした複合りんの例であり、参考に示した。
その中で図２１，図２２は専用形状の緩衝材８を用いることで、りん本体部の振動がしやすく、反転可能にした例である。
図２５は反転する際に把持しやすいようにつまみ９を設けた例で、図２６は支柱部４に複合りんの孔６を挿入することで反転する例である。
【符号の説明】
【００１７】
１      りん本体部
２      収納機構
３      中空部
４      支柱部
５      台座
２０    りん棒
【図１】
2011177492.tif 000003
【図２】
2011177492.tif 000004
【図３】
2011177492.tif 000005
【図４】
2011177492.tif 000006
【図５】
2011177492.tif 000007
【図６】
2011177492.tif 000008
【図７】
2011177492.tif 000009
【図８】
2011177492.tif 000010
【図９】
2011177492.tif 000011
【図１０】
2011177492.tif 000012
【図１１】
2011177492.tif 000013
【図１２】
2011177492.tif 000014
【図１３】
2011177492.tif 000015
【図１４】
2011177492.tif 000016
【図１５】
2011177492.tif 000017
【図１６】
2011177492.tif 000018
【図１７】
2011177492.tif 000019
【図１８】
2011177492.tif 000020
【図１９】
2011177492.tif 000021
【図２０】
2011177492.tif 000022
【図２１】
2011177492.tif 000023
【図２２】
2011177492.tif 000024
【図２３】
2011177492.tif 000025
【図２４】
2011177492.tif 000026
【図２５】
2011177492.tif 000027
【図２６】
2011177492.tif 000028
【図２７】
2011177492.tif 000029